(57)【要約】      （修正有）【課題】従来の装置に比べ、はるかに微小な動力で、上方へ連続吊り上げ運搬を可能ならしめる機構、及び装置を提供する。【解決手段】連続吊上げ運搬機２機を１組の装置として構成し、一方を被運搬側他方を錘側とし、被運搬物の重量と、それに見合った重量を錘５として作用せしめ、双方を釣り合せることにより被運搬物４の重量がゼロとなるような機構にした。また被運搬物が水である場合には錘５も水とし、構成する２機の運搬機が２機とも運搬機として機能する事が出来る機構とした。【選択図】図５
2008044783.tif 000002
【特許請求の範囲】
【請求項１】
上方と下方の滑車を、鎖などで回転させる機構を有する運搬機、２機を１組として構成し、一方を被運搬側とし、他方を錘側として釣り合せる機構を有することを特徴とする、連続吊上げ運搬装置。
【請求項２】
請求項１記載の、運搬機２機それぞれの滑車の回転方向を、同方向とする機構を有することを特徴とする、連続吊上げ運搬装置。
【請求項３】
請求項１記載の、運搬機２機それぞれの滑車の回転方向を、逆方向とする機構を有することを特徴とする、連続吊上げ運搬装置。
【請求項４】
請求項１記載の運搬機２機が、請求項２及び請求項３記載のそれぞれの機構を有しながら、両機が共に運搬側となって、水を上方へ送ることが出来る機能を有することを特徴とする、連続吊上げ運搬装置。
【請求項５】
流水のエネルギ−を、動力源として導入する構成とし、流水のエネルギ−のみを活用して、水を上方へ送ることが出来る機構を有することを特徴とする、連続吊上げ運搬装置。
【請求項６】
風力や太陽光などの、再生可能な自然エネルギ−を動力源として導入する構成とし、水を上方へ送ることが出来る機構を有することを特徴とする、連続吊上げ運搬装置。
【発明の詳細な説明】
【技術分野】
【０００１】  本発明は、物体を小動力や水力、風力、及び太陽光等の再生可能エネルギ−によって、上方へ連続して吊上げ運搬する事を可能にする、機構、構成及び装置に関する。
【背景技術】
【０００２】  従来の荷役作業機は、コンベア−においてもウインチにおいても、被運搬物の重量を基礎数値として、機械的損失や機械的効率を考慮に入れた、力学的計算に基ずき所要の成果を達成する為に必要な動力を算出している。
即ち被運搬物が重力の作用に因る落下を防ぐと同時に、要求される速度で運搬する為の動力を必要とする。またエレベ−タ−は、人の乗るカゴの重量と定員のちょうど半分が乗った時の重量とが釣り合う錘を吊るして、動力の省力化を図っているが、人の増減による重量の軽重に見合う動力は、当然の如く必要である。【０００３】  以下、図１により説明する。４被運搬物を、ｖ定められた速度で上方へ運搬する為の７必要動力は、１滑車及び２運搬具の重量を無視すれば、以下の計算式に基ずき導き出される。
Ｐ＝Ｆｖ・・・式１、式中のＰは７必要動力、Ｆは６引っ張り力、ｖは定運搬速度である。但し式１には、機械的損失即ち１滑車２運搬具３軸受けの摩擦による抵抗力を加算しなければならない。４被運搬物の重量をＷ、摩擦係数をｆとすれば、６引っ張り力Ｆと４被運搬物の重量Ｗは同じであるから、夫々を式１に代入すれば以下の式になる。
Ｐ＝Ｆｖ＝［Ｗ＋（２Ｗｆ１＋２Ｗｆ２＋２Ｗｆ３）］ｖ・・・式２
【発明の開示】
【発明が解決しようとする課題】
【０００４】  上述のように従来の荷役作業機は、重量Ｗなる物体を速度ｖで上方に運搬するのに必要な動力Ｐは、被運搬物の重量Ｗを基礎数値として算出されてきた。【０００５】  本発明は、従来の装置に比べ、はるかに微小な動力で、上方へ連続吊上げ運搬を可能ならしめる機構、及び装置を提供することを目的とするものである。
【課題を解決するための手段】
【０００６】  本発明は上記目的を達成するため、引っ張り力Ｆを錘に置き換え、被運搬物の重量Ｗと錘の重量Ｗを、釣り合せる機構にしたものである。【０００７】  これにより、被運搬物の重量Ｗと、錘の重量Ｗは同じであるから、相殺されて、式２中のＷはゼロ、即ち０となる。【０００８】  従って、運搬に要する動力Ｐを算出するための基礎数値は、滑車及び運搬具の重量を無視すれば、摩擦抵抗Ｗｆのみとなる。【０００９】  以下、図２により説明する。Ｙ−Ｙ軸の左側は被運搬物、右側は引っ張り力Ｆに置き換えた錘である。被運搬物の量Ｗと、錘の重量Ｗは釣り合って相殺され、Ｗはゼロ、即ち０であるから前述の式２にあてはめると、重量Ｗなる物体を速度ｖで上方に運搬する為に要する動力Ｐは、次式によって求められる。
Ｐ＝Ｆｖ＝［Ｗ＋（２Ｗｆ１＋２Ｗｆ２＋２Ｗｆ３）］ｖ
＝［０＋（２Ｗｆ１＋２Ｗｆ２＋２Ｗｆ３）］ｖ
＝（２Ｗｆ１＋２Ｗｆ２＋２Ｗｆ３）ｖ・・・式３
【発明の効果】
【００１０】  本発明は、以上説明した機構により構成されているので、以下に記載されるような効果を発揮するものである。【００１１】  上記の式３により、物体を上方に連続吊上げ運搬する為に要する動力は、従来の荷役作業機であるウインチやコンベア−の動力に比べ、はるかに微小な動力で可能なため省力化を実現し、エネルギ−の無駄な消費を抑制することが出来る効果を発揮するものである。【００１２】  特に本発明においては、水を上方へ連続して吊上げ運搬する場合において、以下の如く最も優れた効果を発揮する。【００１３】  本発明の、運搬機２機を１組として構成される機構は、一方が被運搬側で他方を錘側とすることを基本としているが、請求項４に記載の如く、被運搬側も錘側も共に水であるならば、両機とも運搬側として機能する為、２倍の量を運搬することが出来るという利点が有る。【００１４】  従って、従来よりも小さな動力によって超高層建造物の上部まで、多量の水を連続吊上げ運搬することが出来るという効果を発揮するものである。【００１５】  また本発明は、請求項４記載の機能を複数組み合せることによって、高地や山の頂上までも水を連続吊上げ運搬する事が可能になるという効果を発揮する。【００１６】  それに因って、高層まで運搬された水を、傾斜した水路を用いて導けば、遠く離れたところまで多量の水を供給することが出来るという効果を発揮する。【００１７】  さらに、水路の途中に特願２００４−３８２８６３を設置すれば、流水の有するエネルギ−を機械的エネルギ−に変換し、動力及び電力を得ることができる為必要な地域に、それらを供給する事ができるという効果を発揮するものである。【００１８】  遠隔地まで水を供給することが出来ることによって、山岳高地や乾燥地帯及び砂漠地帯などの不毛な地に水の恵みを齎し、生物に生命の源を与え、緑を蘇らせ、自然環境を再生させる効果を発揮するものである。【００１９】  そして本発明は、請求項５及び請求項６に記載の如く、流水のエネルギ−を特願２００４−３８２８６３や従来の水車などにより、機械的エネルギ−に変換し、また従来の風力発電装置の機械的エネルギ−、さらに太陽光発電装置の電力を機械的エネルギ−に変換し、それらを動力として複合的に組み合せることにより化石エネルギ−を必要とせず、自然の再生可能エネルギ−のみを活用して環境を損なうこと無く、前述の効果を可能ならしめる事が出来るものである。
【発明を実施するための最良の形態】
【００２０】  以下、本発明の実施の形態を図３〜図７に基ずいて説明する。【００２１】  図３に示すように本発明の請求項１を満足する為、上方Ａ位置の軸受け３により支持された滑車１と、下方Ｂ位置の軸受け３により支持された滑車１とが運搬具２に依って連動して回転する機構とし、これを１機としている。【００２２】  また図３に示すように、前記機構２機を１組として構成し、動力７を伝動軸８が伝動具９を介して伝動軸１０に伝動する機構としている。【００２３】  さらに図４に示すように、軸受け３に支持された伝動軸８は図３にしめすようにＹ２−Ｙ２側の滑車１と連結され、同じく軸受け３に支持された伝動軸１０はＹ１−Ｙ１側の滑車１と連結される機構としている。【００２４】  そして図３に示すようにＹ１−Ｙ１側を被運搬側とし、Ｙ２−Ｙ２側を錘側とする機構としている。【００２５】  前記機構は、Ｙ１−Ｙ１側とＹ２−Ｙ２側は、どちら側も被運搬側または錘側として機能することが可能な機構としている。【００２６】  図６に示すように本発明の請求項２を満足する為、伝動軸８に連結された伝動具９は中間軸１０上の伝動具９を介することにより伝動具９と連結された伝動軸１１が伝動軸８と同方向の回転となる機構としている。【００２７】  図４に示すように本発明の請求項３を満足する為、伝動軸８に連結された伝動具９は伝動具９を介することにより伝動具９と連結された伝動軸１０が伝動軸８と逆方向の回転となる機構としている。【００２８】  図３および図５に示すように本発明の請求項４を満足する為、前述のように、２機で構成される運搬機の両機ともに被運搬側または錘側としての機能を有している為、錘側が水であるならば、共に運搬側として作用する機構としている。【００２９】  図７に示すように本発明の請求項５を満足する為、流水のエネルギ−を得るこが可能な場所においては、１２特願２００４−３８２８６３や１３水車により、それを機械的エネルギ−に変換して、図３〜図６に示す動力７とすることによって、本発明を構成する２機が共に運搬機として稼動する機構としている。【００３０】  図７に示すように本発明の請求項６を満足する為、流水のエネルギ−を得るこが不可能な場所においては、１４風力エネルギ−や１５太陽光エネルギ−を、機械的エネルギ−に変換して、図３〜図６に示す動力７とすることによって、本発明を構成する２機が共に運搬機として稼動する機構としている。
【産業上の利用可能性】
【００３１】  本発明は、以上述べた機構の構成によって、高層あるいは遠隔地にも多量の水を供給することが出来る効果を発揮するので、化石エネルギ−に頼ること無く、まさに再生可能な自然の有するエネルギ−のみを、機械的エネルギ−に変換し、それを動力とする事で、山岳高地や乾燥地帯及び砂漠地帯などの不毛な地に、水の恵みを齎すことが出来、また図７及び図８に示すように、特願２００４−３８２８６３や他の水力発電機によって、電力の供給も同時に可能である。【００３２】  生物は水の恩恵なくしては、その生命を維持することは不可能である。即ち水の恵みによって、はじめて生物は生命を育み日々を営むことが可能なのである。【００３３】  水の恵みによって、植物は芽吹き、食料の生産も可能になり、近い将来に懸念される食料不足の解消も実現可能である。【００３４】  水が在り、食料が有るところには、人々が集い日々の生活が営まれる地域社会が出現する。【００３５】  人々の暮らしがあれば、それに伴う生活用品、食料生産に伴う作業用品、住宅建設に伴う資材や用品、移動手段としての乗り物、医療や教育、情報など関連する総ての産業にとってその恩恵は計り知れない。【００３６】  以上述べたように、本発明は不毛の地に水を供給し緑を甦らせ、人々に水の恵みにより生活の糧を齎し、関連する総ての産業の活性化を促進するなどの優れた効果を発揮するためそれらの基盤事業として多いに普及することが予見される。【００３７】  また本発明は、小動力若しくは自然の有するエネルギ−のみの活用により、その目的を達成する事が出来るため、化石燃料の消費を著しく軽減する事が出来、因って地球環境の悪化を防止し、さらに砂漠の緑化を通じて地球再生を促進する効果を発揮するため、その基盤事業として普及することが予見される。
【図面の簡単な説明】
【００３８】
【図１】  背景技術を説明するための構成図
【図２】  本発明を説明するための構成図
【図３】  本発明の実施形態を示す構成図
【図４】  同駆動部の平面図
【図５】  同駆動部の構成図
【図６】  同駆動部の平面図
【図７】  同駆動部の構成図
【図８】  同駆動部の構想図
【符号の説明】
【００３９】  １  滑車
２  運搬具
４  被運搬物
５  錘
７  動力
８  伝動軸
９  伝動具
１２  特願２００４−３８２８６３
１３  水車
１４  風力エネルギ−
１５  太陽光エネルギ−
【図１】
2008044783.tif 000003
【図２】
2008044783.tif 000004
【図３】
2008044783.tif 000005
【図４】
2008044783.tif 000006
【図５】
2008044783.tif 000007
【図６】
2008044783.tif 000008
【図７】
2008044783.tif 000009
【図８】
2008044783.tif 000010
【手続補正書】
【提出日】平成19年4月25日(2007.4.25)
【手続補正１】
【補正対象書類名】特許請求の範囲
【補正対象項目名】請求項４
【補正方法】変更
【補正の内容】
【請求項４】
請求項１記載の運搬機２機が、請求項２及び請求項３記載のそれぞれの機構を有しながら、両機が共に運搬側となって、物体を上方へ送ることが出来る機能を有することを特徴とする、連続吊上げ運搬装置。
【手続補正２】
【補正対象書類名】特許請求の範囲
【補正対象項目名】請求項５
【補正方法】削除
【補正の内容】
【手続補正３】
【補正対象書類名】特許請求の範囲
【補正対象項目名】請求項６
【補正方法】変更
【補正の内容】
【請求項６】
再生可能な自然エネルギーを動力源として導入する構成とし、物体を上方へ送ることが出来る機構を有することを特徴とする、連続吊上げ運搬装置。
【手続補正書】
【提出日】平成19年7月17日(2007.7.17)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
上方と下方の滑車を、鎖などで回転させる機構を有する運搬機、２機を１組として構成し、一方を被運搬側とし、他方を錘側として釣り合せる機構を有することを特徴とする、連続吊上げ運搬装置。
【請求項２】
請求項１記載の、運搬機２機それぞれの滑車の回転方向を、同方向とする機構を有することを特徴とする、連続吊上げ運搬装置。
【請求項３】
請求項１記載の、運搬機２機それぞれの滑車の回転方向を、逆方向とする機構を有することを特徴とする、連続吊上げ運搬装置。
【請求項４】
請求項１記載の運搬機２機が、請求項２及び請求項３記載のそれぞれの機構を有しながら、両機が共に運搬側となって、水を上方へ送ることが出来る機能を有することを特徴とする、連続吊上げ運搬装置。
【請求項５】
流水のエネルギーを、動力源として導入する構成とし、流水のエネルギーのみを活用して、水を上方へ送ることが出来る機構を有することを特徴とする、連続吊上げ運搬装置。
【請求項６】
風力や太陽光などの、再生可能な自然エネルギーを動力源として導入する構成とし、水を上方へ送ることが出来る機構を有することを特徴とする、連続吊上げ運搬装置。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】